(57)【要約】【課題】簡単な機構により、口が切りっぱなしの袋でも手軽に持ち運べ、物品の出入れも容易に行え、袋を安定よく持ち下げられて労力の軽減を図る。【解決手段】袋の口辺に沿う所定の長さを有する本体フレーム部１０と、本体フレーム部１０の長手方向側部から側方に張り出て上向き口１１ａを有する断面略２／３円形のホルダー部１１と、ホルダー部１１の口内１１ｂに嵌込み乃至は取出し自在な丸棒状の軸芯部１２とからなるクリップ１ａ，１ｂの対で袋の相対する口辺を所定の長さに亘って各々挟持し、袋の口を所定の幅開く長さを持って各クリップ１ａ，１ｂと直交方向から対間に亘るグリップ２兼用の連結シャフト３で袋の口を開いて袋をグリップ２で持ち下げる。【選択図】　図１
2004024608.tif 000002
【特許請求の範囲】
【請求項１】
袋の相対する口辺を所定の長さに亘って各々挟持する対のクリップと、袋の口を所定の幅開く長さを持って各クリップと直交方向から対間に亘るグリップ兼用の連結シャフトとからなり、袋の口辺を各クリップで挟持すると共に、当該袋の口を連結シャフトで開いて袋をグリップで持ち下げ可能に組み立ててなることを特徴とする袋の手提げ用補助具。
【請求項２】
袋の口辺に沿う所定の長さを有する角板状の本体フレーム部と、本体フレーム部の長手方向側部から側方に張り出て上向き口を有する断面略２／３円形のホルダー部と、ホルダー部の口内に嵌込み乃至は取出し自在な丸棒状の軸芯部とからなり、ホルダー部の口内に巻き込む袋の口辺を該口内に嵌め合せる軸芯部で押え止めるクリップを備えてなることを特徴とする請求項１に記載の袋の手提げ用補助具。
【請求項３】
軸芯部を繋ぎ条で本体フレーム部と連結したクリップを備えてなることを特徴とする請求項２に記載の袋の手提げ用補助具。
【請求項４】
滑止め用のラバーコートをホルダー部と軸芯部との嵌合せ面に設けたクリップを備えてなることを特徴とする請求項２に記載の袋の手提げ用補助具。
【請求項５】
連結シャフトとの交差角を調節可能に止めネジで連結シャフトに取り付けたクリップを備えてなることを特徴とする請求項２に記載の袋の手提げ用補助具。
【請求項６】
ホルダー部を本体フレーム部の長手方向側部から外方に張り出すクリップを二つ対に連結シャフトの長手方向両端部に備えてなることを特徴とする請求項１〜５のいずれかに記載の袋の手提げ用補助具。
【請求項７】
ホルダー部を本体フレーム部の長手方向側部から両側に張り出す中央のダブルクリップと、ホルダー部を本体フレーム部の長手方向側部から外方に張り出す両サイドのシングルクリップとを四つ対に連結シャフトの長手方向中央並びに長手方向両端部に備えてなることを特徴とする請求項１〜５のいずれかに記載の袋の手提げ用補助具。
【発明の詳細な説明】
【０００１】
【発明の属する技術分野】
本発明は、公園内外，学校周辺，海辺等々の心無い者達によって棄てられたごみの拾い清掃等に際して用いられる袋の手提げ用補助具に関するものである。
【０００２】
【従来の技術】
一般に、小・中・高学生や町内会等の人達によるボランティア活動などにより、公園内外，学校周辺，海辺等々のごみ拾い清掃が行われている。この際には、通常、各人が４５リットル程度のビニール袋を携え、ごみを拾いながら収集袋に入れる作業形態が採られている。
【０００３】
その収集作業は、作業者がビニール袋の口を手で束ねて持運び、ごみを拾う度に、ビニール袋の口を広げてごみを袋内に入れるというものである。然し、これではビニール袋の口を手で束ねて持運ぶ労力と共に、ビニール袋の口を開け閉めする労力も掛かるところから結構な重労働となる。
【０００４】
従来、スーパーやコンビニ等で配布される口をループ状の手提げ部で形取ったビニール袋用としては、長さが片手で握れる程度のグリップを備え、袋を手提げ部で掛け下げるフックをグリップの両端部に設けた手提げ補助具が提案されている（特表平１１−５０６３７６号、実用新案登録第３０８０８０３号）。
【０００５】
その手提げ用補助具は、口をループ状の手提げ部で形取ったビニール袋に限られ、口が切りっぱなしに形成されているごみ収集等の袋には適用できない。
【０００６】
【発明が解決しようとする課題】
本発明は、簡単な機構により、口が切りっぱなしの袋でも手軽に持運べると共に、物品の出入れも容易に行え、また、袋を安定よく持ち下げられて労力の軽減を図れる袋の手提げ用補助具を提供することを目的とする。
【０００７】
【課題を解決するための手段】
本発明の請求項１に係る袋の手提げ用補助具においては、袋の相対する口辺を所定の長さに亘って各々挟持する対のクリップと、袋の口を所定の幅開く長さを持って各クリップと直交方向から対間に亘るグリップ兼用の連結シャフトとからなり、袋の口辺を各クリップで挟持すると共に、当該袋の口を連結シャフトで開いて袋をグリップで持ち下げ可能に組み立てることにより構成されている。
【０００８】
本発明の請求項２に係る袋の手提げ用補助具においては、袋の口辺に沿う所定の長さを有する角板状の本体フレーム部と、本体フレーム部の長手方向側部から側方に張り出で上向き口を有する断面略２／３円形のホルダー部と、ホルダー部の口内に嵌込み乃至は取外し自在な丸棒状の軸芯部とからなり、ホルダー部の口内に巻き込む袋の口辺を該口内に嵌め合せる軸芯部で押え止めるクリップを備えることにより構成されている。
【０００９】
本発明の請求項３に係る袋の手提げ用補助具においては、軸芯部を繋ぎ条で本体フレーム部と連結したクリップを備えることにより構成されている。
【００１０】
本発明の請求項４に係る袋の手提げ用補助具においては、滑止め用のラバーコートをホルダー部と軸芯部との嵌合せ面に設けたクリップを備えることにより構成されている。
【００１１】
本発明の請求項５に係る袋の手提げ用補助具においては、連結シャフトとの交差角を調節可能に止めネジで連結シャフトに取り付けたクリップを備えることにより構成されている。
【００１２】
本発明の請求項６に係る袋の手提げ用補助具においては、ホルダー部を本体フレーム部の長手方向側部から外方に張り出すクリップを二つ対に連結シャフトの長手方向両端部に備えることにより構成されている。
【００１３】
本発明の請求項７に係る袋の手提げ用補助具においては、ホルダー部を本体フレーム部の長手方向側部から両側に張り出す中央のダブルクリップと、ホルダー部を本体フレーム部の長手方向側部から外方に張り出す両サイドのシングルクリップとを四つ対に連結シャフトの長手方向中央並びに長手方向両端部に備えることにより構成されている。
【００１４】
【発明の実施の形態】
以下、添付図面を参照して説明すると、図示実施の形態としては、図１で示すような二つ対のクリップを備えて一つの袋を対象にするものと、図４で示すような四つ対のクリップを備えて二つの袋を対象にするものとが挙げられている。このいずれのものも、４５リットル程度のごみを入れるビニール袋のような口が切りっぱなしの袋に適用するものとして構成されている。
【００１５】
図１で示す形態の手提げ用補助具は、袋の相対する口辺を所定の長さに亘って各々挟持する二つ対のクリップ１ａ，１ｂと、袋の口を所定の幅開く長さを持って各クリップ１ａ，１ｂと直交方向から対間に亘るグリップ２と兼用の連結シャフト３とから組み立てられている。
【００１６】
その主要部のうち、クリップ１ａ（１ｂ）は、図２で示す（以下、片側のみ図示）ように袋の口辺に沿う所定の長さを有する角板状の本体フレーム部１０と、本体フレーム部１０の長手方向側部から外方に張り出て上向き口を有する断面略２／３円形のホルダー部１１と、ホルダー部１１の口内１１ｂに嵌込み乃至は取出し自在な丸棒状の軸芯部１２との各構成部から一体形に構成されている。
【００１７】
その本体フレーム部１０は剛直なプラスチック製の角板でなり、ホルダー部１１は弾性を有するプラスチック製のものでなる。このホルダー部１１は、断面略２／３円形の先端側１１ｃを薄肉に形成することによりバネ性を付与し、フレーム部１０の長手方向側部と厚肉な基部側１１ｄで強固に接合させて本体フレーム部１０と一体に形成できる。軸芯部１２は、丸パイプの両端を閉塞した軽量なプラスチック製の丸棒でなる。
【００１８】
そのクリップ１ａ（１ｂ）の構成中、軸芯部１２は本体フレーム部１０とプラスチック製のフレキシブルコードや金属細線，板バネ等の繋ぎ条１３で連結させて備え付けられる。また、滑止め用のラバーコート１４，１５を互いの嵌合せ部となるホルダー部１１の口内１１ｂ，軸芯部１２の外周いずれか一方乃至は双方に設けることにより構成できる。
【００１９】
そのクリップ１ａ（１ｂ）に対し、連結シャフト３は、ステンレス製等の丸パイプから両脚部を備えた下向きコの字状に折曲形成し、各脚部から下方に突出するネジ軸３０とネジ軸３０の軸端にねじ込み乃至はねじ戻し可能に螺合する蝶ナット３１とからなる止めねじを備えるよう構成できる。また、グリップ２としては指掛け用の凹凸部を下面に付形した片手長さのものに軟質のゴム材等から連結シャフト３の軸線中央に被着形成できる。
【００２０】
その連結シャフト３は、ネジ軸３０をフレーム部１０の長手方向中央で縦方向に設けた貫通穴（符号なし）に挿通すると共に、蝶ナット３１をネジ軸３０の軸下端に螺合することにより、各クリップ１ａ，１ｂと直交方向から対間上側に亘るよう取り付けられる。また、クリップ１ａ（１ｂ）はねじ込み乃至はねじ戻し可能に螺合する蝶ナット３１を備えて連結シャフト３との交差角を調節可能に取り付けられる。
【００２１】
このように構成する袋の手提げ用補助具では、軸芯部１２がホルダー部１１の口内１１ｂに嵌込み乃至は取外し自在に備えられていても、その軸芯部１２が繋ぎ条１３で本体フレーム部１０と連結されているため、使用しないときでも全体を１セットに揃えられる。
【００２２】
使用時は、図３で示すように一つの袋Ｂの口辺を各クリップ１ａ，１ｂで挟持すると共に、その袋Ｂの口を連結シャフト３で開くことにより、当該袋Ｂをグリップ２で持ち下げられるよう用いる。このため、簡単な機構により、口が切りっぱなしの袋でも手軽に持運べると共に、ごみ等の出入れも容易に行えて労力の軽減を図れる。
【００２３】
そのクリップ１ａ，１ｂでは、ホルダー部１１の口内１１ｂに巻き込む袋Ｂの口辺を口内１１ｂに嵌め合せる軸芯部１２で押え止められる。殊に、ホルダー部１１と軸芯部１２との嵌合せ部に設けるラバーコート１４，１５により袋Ｂの外れ出しを確実に防げるため、袋Ｂを安定よく持ち運べる。
【００２４】
連結シャフト３では、袋Ｂの口を長手方向長さに相応する幅だけ開くことにより保持できる。この口の開き幅は、蝶ナット３１を弛めてクリップ１ａ，１ｂの向きをハの字状等に開くよう連結シャフト３との交差角を調節すれば、連結シャフト３の長手方向長さによりも大きく開いて保持できるため、ごみ等の出入れもより一層容易に行える。
【００２５】
図４で示す形態の手提げ用補助具は、ホルダー部１１を本体フレーム部１０の長手方向側部から外方に張り出す両サイドのシングルクリップ１ａ，１ａ’と、ホルダー部１１，１１を本体フレーム部１０の長手方向側部から両側に張り出す中央のクリップ１ｂ，１ｂ’とを四つ対に連結シャフト３の長手方向両端部並びに長手方向中央に備えることにより構成されている。
【００２６】
その手提げ用補助具では、中央のダブルクリップ１ｂ，１ｂ’が一つの本体フレーム１０で組み立てられているのを除き、各クリップ１ａ，１ｂ、１ａ’，１ｂ’が上述したと同様に軸芯部１２をホルダー部１１の口内１１ｂに嵌込み乃至は取外し自在に備えると共に、軸芯部１２を本体フレーム部１０と繋ぎ条１３で連結することにより構成されている。
【００２７】
連結シャフト３は、両脚部を備えた下向きコの字状の主体部３ａと、Ｙの字状の中央脚部３ｂとから形成されている。このうち、中央脚部３ｂはダブルクリップ１ｂ，１ｂ’の本体フレーム１０に植立固定し、主体部３ａは各脚部から下方に突出するネジ軸３０とネジ軸３０の軸端にねじ込み乃至はねじ戻し可能に螺合する蝶ナット３１とを備えてシングルクリップ１ａ，１ａ’を連結シャフト３との交差角調節可能に組み付けられる。
【００２８】
この形態の手提げ用補助具では、袋の口辺を各クリップ１ａ，１ｂ、１ａ’，１ｂ’で挟持すると共に、その袋Ｂの口を連結シャフト３で開き、二つの袋をグリップ２で持ち下げることにより、可燃ごみと不燃ゴミとを同時に分別しながら収集できる。
【００２９】
上述した袋の使用形態は、主に、ごみ収集袋に基づいて説明したが、これ以外にも、袋を持ち運びながら物品を収納する如き種々の作業を行なう袋の手提げ用補助具として用いられる。
【００３０】
【発明の効果】
以上の如く、本発明の請求項１に係る袋の手提げ用補助具に依れば、袋の相対する口辺を所定の長さに亘って各々挟持する対のクリップと、袋の口を所定の幅開く長さを持って各クリップと直交方向から対間に亘るグリップ兼用の連結シャフトとからなり、袋の口辺を各クリップで挟持すると共に、当該袋の口を連結シャフトで開いて袋をグリップで持ち下げ可能に組み立てることにより、簡単な機構により、口が切りっぱなしの袋でも手軽に持ち運べると共に、物品の出入れも容易に行えて労力の軽減を図れる。
【００３１】
本発明の請求項２に係る袋の手提げ用補助具に依れば、袋の口辺に沿う所定の長さを有する角板状の本体フレーム部と、本体フレーム部の長手方向側部から側方に張り出で上向き口を有する断面略２／３円形のホルダー部と、ホルダー部の口内に嵌込み乃至は取外し自在な丸棒状の軸芯部とからなり、ホルダー部の口内に巻き込む袋の口辺を該口内に嵌め合せる軸芯部で押え止めるクリップを備えることにより、袋の着脱を容易に行なえると共に、袋を安定よく持ち運べる。
【００３２】
本発明の請求項３に係る袋の手提げ用補助具に依れば、軸芯部を繋ぎ条で本体フレーム部と連結したクリップを備えることにより、使用しないときでも全体を１セットに揃えられる。
【００３３】
本発明の請求項４に係る袋の手提げ用補助具に依れば、滑止め用のラバーコートをホルダー部と軸芯部との嵌合せ面に設けたクリップを備えることにより、袋の外れ出しを確実に防げて袋を安定よく持ち運べる。
【００３４】
本発明の請求項５に係る袋の手提げ用補助具に依れば、連結シャフトとの交差角を調節可能に止めネジで連結シャフトに取り付けたクリップを備えることにより、口の開き幅を連結シャフトの長手方向長さによりも大きく開いて保持できるため、ごみ等の出入れも一層容易に行える。
【００３５】
本発明の請求項６に係る袋の手提げ用補助具に依れば、ホルダー部を本体フレーム部の長手方向側部から外方に張り出すクリップを二つ対に連結シャフトの長手方向両端部に備えることにより、袋の口を連結シャフトで開いて一つの袋をグリップで持ち下げ可能に組み立てられる。
【００３６】
本発明の請求項７に係る袋の手提げ用補助具に依れば、ホルダー部を本体フレーム部の長手方向側部から両側に張り出す中央のダブルクリップと、ホルダー部を本体フレーム部の長手方向側部から外方に張り出す両サイドのシングルクリップとを四つ対に連結シャフトの長手方向中央並びに長手方向両端部に備えることにより、各袋の口を連結シャフトで開いて二つの袋をグリップで持ち下げ、可燃ごみと不燃ゴミとを同時に分別しながら収集可能に組み立てられる。
【図面の簡単な説明】
【図１】本発明の一実施の形態に係る袋の手提げ用補助具を示す斜視図である。
【図２】同手提げ用補助具に備えられるクリップを主に示す断面図である。
【図３】同手提げ用補助具による袋の掛下げ状態を示す説明図である。
【図４】本発明の別の実施の形態に係る袋の手提げ用補助具を示す斜視図である。
【符号の説明】
１ａ，１ｂ　　　　クリップ
２　　　　　　　　グリップ
３　　　　　　　　連結シャフト
１０　　　　　　　クリップの本体フレーム部
１１　　　　　　　クリップのホルダー部
１２　　　　　　　クリップの軸芯部
１３　　　　　　　軸芯部の繋ぎ条
【図１】
2004024608.tif 000003
【図２】
2004024608.tif 000004
【図３】
2004024608.tif 000005
【図４】
2004024608.tif 000006